(57)【要約】【課題】本発明はキーボード固定ホルダーを開示した。【解決手段】左右対称の折り畳み板を含み、前記キーボード箱の角度を調整する時、手で前記つまみを回転させ、前記つまみが回転して前記つまみロッドを連動させて回転させ、前記つまみロッドが回転して前記第一ベベルギヤを連動させて回転させ、前記第一ベベルギヤが前記第二ベベルギヤとの噛み合いにより前記ネジロッドを連動させて回転させ、キーボード固定ホルダーが使用されない場合、キーボード固定ホルダーを折り畳むことができ、置く空間を節約し、またキーボード固定ホルダーに置かれたキーボードの角度を調整することができ、異なるサイズのキーボードに対応できる。【選択図】図１
2020177603.tif 000002
【特許請求の範囲】
【請求項１】
左右対称の折り畳み板を含み、右側の前記折り畳み板の左側端面には左へ開口した折り畳みチャンバが設置され、前記折り畳みチャンバの上下内壁の間には折り畳みロッドが回転できるように装着され、前記折り畳みロッドと左側の前記折り畳み板とが固定的に連結され、キーボード固定ホルダーを使用しない時、左右の前記折り畳み板を折り畳むことができ、置く空間を節約し、前記折り畳み板の上方には移動ブロックが設置され、前記移動ブロックの中には回転溝が設置され、前記回転溝の中にはキーボード箱がスライドできるように装着され、前記キーボード箱の中にはキーボードチャンバが設置され、前記キーボードチャンバの中には圧しブロックチャンバが上下対称的に連通して設置され、前記圧しブロックチャンバの中には圧しブロックがスライドできるように装着され、前記圧しブロックと前記圧しブロックチャンバとの間には第一ばねが固定的に装着され、キーボードを左右の前記キーボードチャンバの間に置くことができ、前記圧しブロックを利用してキーボードを固定し、前記移動ブロックの中にはまたノートパソコンの両側端面に固定的に装着されることができる固定機構が設置され、前記キーボード箱の後側には前記キーボード箱の角度を調整できる調整機構が設置され、前記調整機構は前記キーボード箱の後側に設置されるネジ山チャンバを含み、前記ネジ山チャンバの後側には噛み合いチャンバが設置され、前記噛み合いチャンバの片側内壁にはつまみロッドが回転できるように装着され、前記つまみロッドには前記キーボード箱の角度を調整することに動力を提供できるつまみが固定的に装着されることを特徴とするキーボード固定ホルダー。
【請求項２】
前記固定機構はまた前記折り畳み板の頂部端面に設置される移動溝を含み、前記移動ブロックが前記移動溝とスライドできるように装着され、前記移動溝の下方にはスライドチャンバが連通して設置され、前記スライドチャンバの中にはスライドブロックがスライドできるように装着され、前記スライドブロックが前記移動ブロックと固定的に連結され、前記スライドブロックと前記スライドチャンバとの間には第二ばねが固定的に装着され、前記移動ブロックの中にはリミットチャンバが設置され、前記リミットチャンバの中にはリミットブロックがスライドできるように装着され、前記リミットブロックと前記リミットチャンバとの間には第三ばねが固定的に装着され、前記リミットブロックには前記移動ブロックを貫通しているリミットロッドが固定的に装着され、前記リミットロッドと前記移動ブロックとがスライドできるように装着され、前記リミットロッドには回転ブロックが回転できるように装着され、前記回転ブロックには貼り付けシートが固定的に装着され、キーボード固定ホルダーを使用する時、両側の前記貼り付けシートをノートパソコンの左右両側の端面に貼り付けることができ、キーボードを前記キーボードチャンバの中に置く時、前記移動ブロックが前記スライド溝の中でスライドすることを通じて異なるサイズのキーボードに対応することができることを特徴とする請求項１に記載のキーボード固定ホルダー。
【請求項３】
前記調整機構はまた、前記回転溝の下方に連通して設置される回転チャンバを含み、前記回転チャンバの左右内壁の間には回転ロッドが回転できるように装着され、前記回転ロッドには連結ブロックが固定的に装着され、前記連結ブロックが前記キーボード箱と固定的に連結され、前記つまみロッドには第一ベベルギヤが固定的に装着され、前記噛み合いチャンバと前記ネジ山チャンバとの間にはネジロッドが回転できるように装着され、前記ネジロッドの後側端面には第二ベベルギヤが固定的に装着され、前記第二ベベルギヤが前記第一ベベルギヤと噛み合っており、前記ネジ山チャンバの中にはネジ山ブロックがスライドできるように装着され、前記ネジ山ブロックの中には後ろへ開口したネジ穴が設置され、前記ネジ穴が前記ネジロッドとネジ山により装着され、前記キーボード箱の底部端面には後ろへ開口した推し動かし溝が設置され、前記推し動かし溝の中には推し動かしブロックがスライドできるように装着され、前記推し動かしブロックの後側端面には支持板が左右対称的に固定的に装着され、左右の前記支持板の間には支持ロッドが回転できるように装着され、前記支持ロッドが前記ネジ山ブロックと固定的に連結され、前記キーボード箱の角度を調整する時、手で前記つまみを回転させ、前記つまみが回転して前記つまみロッドを連動させて回転させ、前記つまみロッドが回転して前記第一ベベルギヤを連動させて回転させ、前記第一ベベルギヤが前記第二ベベルギヤとの噛み合いにより前記ネジロッドを連動させて回転させ、前記ネジロッドが回転して前記ネジ山ブロックを前側へ移動させ、前記ネジ山ブロックが前側へ移動して前記キーボードチャンバを推し動かして回転させ、前記推し動かしブロックが前記スライド溝でスライドすることを特徴とする請求項１に記載のキーボード固定ホルダー。
【発明の詳細な説明】
【技術分野】
【０００１】
本発明は固定ホルダー分野を取り上げて、具体的にはキーボード固定ホルダーである。
【背景技術】
【０００２】
一般的なキーボード固定ホルダーが折り畳まれることができないので、収納に所要の空間が大きく、しかも大きさが違うキーボードに対応できなく、そこでキーボードを換える時にキーボードホルダーを換える必要があり、浪費をもたらし、一般的なキーボード固定ホルダーがキーボードの角度を調整することができない。
【先行技術文献】
【特許文献】
【０００３】
【特許文献１】中国特許出願公開第１０２５５１３４８号明細書
【発明の概要】
【発明が解決しようとする課題】
【０００４】
本発明はキーボード固定ホルダーを提供し、従来技術における上記欠点を解消することを目的とする。
【課題を解決するための手段】
【０００５】
本発明のキーボード固定ホルダーは、左右対称の折り畳み板を含み、右側の前記折り畳み板の左側端面には左へ開口した折り畳みチャンバが設置され、前記折り畳みチャンバの上下内壁の間には折り畳みロッドが回転できるように装着され、前記折り畳みロッドと左側の前記折り畳み板とが固定的に連結され、キーボード固定ホルダーを使用しない時、左右の前記折り畳み板を折り畳むことができ、置く空間を節約し、前記折り畳み板の上方には移動ブロックが設置され、前記移動ブロックの中には回転溝が設置され、前記回転溝の中にはキーボード箱がスライドできるように装着され、前記キーボード箱の中にはキーボードチャンバが設置され、前記キーボードチャンバの中には圧しブロックチャンバが上下対称的に連通して設置され、前記圧しブロックチャンバの中には圧しブロックがスライドできるように装着され、前記圧しブロックと前記圧しブロックチャンバとの間には第一ばねが固定的に装着され、キーボードを左右の前記キーボードチャンバの間に置くことができ、前記圧しブロックを利用してキーボードを固定し、前記移動ブロックの中にはまたノートパソコンの両側端面に固定的に装着されることができる固定機構が設置され、前記キーボード箱の後側には前記キーボード箱の角度を調整できる調整機構が設置され、前記調整機構は前記キーボード箱の後側に設置されるネジ山チャンバを含み、前記ネジ山チャンバの後側には噛み合いチャンバが設置され、前記噛み合いチャンバの片側内壁にはつまみロッドが回転できるように装着され、前記つまみロッドには前記キーボード箱の角度を調整することに動力を提供できるつまみが固定的に装着される。
【０００６】
更の技術プランとしては、前記固定機構はまた前記折り畳み板の頂部端面に設置される移動溝を含み、前記移動ブロックが前記移動溝とスライドできるように装着され、前記移動溝の下方にはスライドチャンバが連通して設置され、前記スライドチャンバの中にはスライドブロックがスライドできるように装着され、前記スライドブロックが前記移動ブロックと固定的に連結され、前記スライドブロックと前記スライドチャンバとの間には第二ばねが固定的に装着され、前記移動ブロックの中にはリミットチャンバが設置され、前記リミットチャンバの中にはリミットブロックがスライドできるように装着され、前記リミットブロックと前記リミットチャンバとの間には第三ばねが固定的に装着され、前記リミットブロックには前記移動ブロックを貫通しているリミットロッドが固定的に装着され、前記リミットロッドと前記移動ブロックとがスライドできるように装着され、前記リミットロッドには回転ブロックが回転できるように装着され、前記回転ブロックには貼り付けシートが固定的に装着される。
【０００７】
更の技術プランとしては、前記調整機構はまた、前記回転溝の下方に連通して設置される回転チャンバを含み、前記回転チャンバの左右内壁の間には回転ロッドが回転できるように装着され、前記回転ロッドには連結ブロックが固定的に装着され、前記連結ブロックが前記キーボード箱と固定的に連結され、前記つまみロッドには第一ベベルギヤが固定的に装着され、前記噛み合いチャンバと前記ネジ山チャンバとの間にはネジロッドが回転できるように装着され、前記ネジロッドの後側端面には第二ベベルギヤが固定的に装着され、前記第二ベベルギヤが前記第一ベベルギヤと噛み合っており、前記ネジ山チャンバの中にはネジ山ブロックがスライドできるように装着され、前記ネジ山ブロックの中には後ろへ開口したネジ穴が設置され、前記ネジ穴が前記ネジロッドとネジ山により装着され、前記キーボード箱の底部端面には後ろへ開口した推し動かし溝が設置され、前記推し動かし溝の中には推し動かしブロックがスライドできるように装着され、前記推し動かしブロックの後側端面には支持板が左右対称的に固定的に装着され、左右の前記支持板の間には支持ロッドが回転できるように装着され、前記支持ロッドが前記ネジ山ブロックと固定的に連結される。
【発明の効果】
【０００８】
本発明の有益効果は：本発明のキーボード固定ホルダーが使用されない場合、キーボード固定ホルダーを折り畳むことができ、置く空間を節約し、またキーボード固定ホルダーに置かれたキーボードの角度を調整することができ、異なるサイズのキーボードに対応でき、普及の価値がある。
【図面の簡単な説明】
【０００９】
【図１】図１は本発明の構成模式図
【図２】図２は図１の中のＡ−Ａ方向の断面構成模式図
【図３】図３は図１の中のＢ−Ｂ方向の断面構成模式図
【発明を実施するための形態】
【００１０】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１１】
図１〜３を参照し、本発明のキーボード固定ホルダーは、左右対称の折り畳み板４６を含み、右側の前記折り畳み板４６の左側端面には左へ開口した折り畳みチャンバ２８が設置され、前記折り畳みチャンバ２８の上下内壁の間には折り畳みロッド２７が回転できるように装着され、前記折り畳みロッド２７と左側の前記折り畳み板４６とが固定的に連結され、キーボード固定ホルダーを使用しない時、左右の前記折り畳み板４６を折り畳むことができ、置く空間を節約し、前記折り畳み板４６の上方には移動ブロック１５が設置され、前記移動ブロック１５の中には回転溝４５が設置され、前記回転溝４５の中にはキーボード箱４２がスライドできるように装着され、前記キーボード箱４２の中にはキーボードチャンバ４１が設置され、前記キーボードチャンバ４１の中には圧しブロックチャンバ４４が上下対称的に連通して設置され、前記圧しブロックチャンバ４４の中には圧しブロック４３がスライドできるように装着され、前記圧しブロック４３と前記圧しブロックチャンバ４４との間には第一ばね１８が固定的に装着され、キーボードを左右の前記キーボードチャンバ４１の間に置くことができ、前記圧しブロック４３を利用してキーボードを固定し、前記移動ブロック１５の中にはまたノートパソコンの両側端面に固定的に装着されることができる固定機構７０が設置され、前記キーボード箱４２の後側には前記キーボード箱４２の角度を調整できる調整機構８０が設置され、前記調整機構８０は前記キーボード箱４２の後側に設置されるネジ山チャンバ３８を含み、前記ネジ山チャンバ３８の後側には噛み合いチャンバ３３が設置され、前記噛み合いチャンバ３３の片側内壁にはつまみロッド３１が回転できるように装着され、前記つまみロッド３１には前記キーボード箱４２の角度を調整することに動力を提供できるつまみ１９が固定的に装着される。
【００１２】
前記固定機構７０はまた前記折り畳み板４６の頂部端面に設置される移動溝２３を含み、前記移動ブロック１５が前記移動溝２３とスライドできるように装着され、前記移動溝２３の下方にはスライドチャンバ２５が連通して設置され、前記スライドチャンバ２５の中にはスライドブロック２６がスライドできるように装着され、前記スライドブロック２６が前記移動ブロック１５と固定的に連結され、前記スライドブロック２６と前記スライドチャンバ２５との間には第二ばね２４が固定的に装着され、前記移動ブロック１５の中にはリミットチャンバ１４が設置され、前記リミットチャンバ１４の中にはリミットブロック１７がスライドできるように装着され、前記リミットブロック１７と前記リミットチャンバ１４との間には第三ばね１６が固定的に装着され、前記リミットブロック１７には前記移動ブロック１５を貫通しているリミットロッド１３が固定的に装着され、前記リミットロッド１３と前記移動ブロック１５とがスライドできるように装着され、前記リミットロッド１３には回転ブロック１２が回転できるように装着され、前記回転ブロック１２には貼り付けシート１１が固定的に装着され、これによりキーボード固定ホルダーを使用する時、両側の貼り付けシート１１をノートパソコンの左右両側の端面に貼り付けることができ、キーボードをキーボードチャンバ４１の中に置く時、移動ブロック１５がスライド溝２３の中でスライドすることを通じて異なるサイズのキーボードに対応することができる。
【００１３】
前記調整機構８０はまた、前記回転溝４５の下方に連通して設置される回転チャンバ２１を含み、前記回転チャンバ２１の左右内壁の間には回転ロッド２２が回転できるように装着され、前記回転ロッド２２には連結ブロック２０が固定的に装着され、前記連結ブロック２０が前記キーボード箱４２と固定的に連結され、前記つまみロッド３１には第一ベベルギヤ３２が固定的に装着され、前記噛み合いチャンバ３３と前記ネジ山チャンバ３８との間にはネジロッド３５が回転できるように装着され、前記ネジロッド３５の後側端面には第二ベベルギヤ３４が固定的に装着され、前記第二ベベルギヤ３４が前記第一ベベルギヤ３２と噛み合っており、前記ネジ山チャンバ３８の中にはネジ山ブロック３６がスライドできるように装着され、前記ネジ山ブロック３６の中には後ろへ開口したネジ穴３７が設置され、前記ネジ穴３７が前記ネジロッド３５とネジ山により装着され、前記キーボード箱４２の底部端面には後ろへ開口した推し動かし溝４０が設置され、前記推し動かし溝４０の中には推し動かしブロック３９がスライドできるように装着され、前記推し動かしブロック３９の後側端面には支持板３０が左右対称的に固定的に装着され、左右の前記支持板３０の間には支持ロッド２９が回転できるように装着され、前記支持ロッド２９が前記ネジ山ブロック３６と固定的に連結され、これによりキーボード箱４２の角度を調整する時、手でつまみ１９を回転させ、つまみ１９が回転してつまみロッド３１を連動させて回転させ、つまみロッド３１が回転して第一ベベルギヤ３２を連動させて回転させ、第一ベベルギヤ３２が第二ベベルギヤ３４との噛み合いによりネジロッド３５を連動させて回転させ、ネジロッド３５が回転してネジ山ブロック３６を前側へ移動させ、ネジ山ブロック３６が前側へ移動してキーボードチャンバ４１を推し動かして回転させ、推し動かしブロック３９がスライド溝４０でスライドする。
【００１４】
使用する時、キーボード固定ホルダーを使用しない時、左右の折り畳み板４６を折り畳むことができ、置く空間を節約し、キーボード固定ホルダーを使用する時、両側の貼り付けシート１１をノートパソコンの左右両側の端面に貼り付けることができ、キーボードを左右のキーボードチャンバ４１の間に置くことができ、圧しブロック４３を利用してキーボードを固定し、移動ブロック１５がスライド溝２３の中でスライドすることを通じて異なるサイズのキーボードに対応することができ、キーボード箱４２の角度を調整する時、手でつまみ１９を回転させ、つまみ１９が回転してつまみロッド３１を連動させて回転させ、つまみロッド３１が回転して第一ベベルギヤ３２を連動させて回転させ、第一ベベルギヤ３２が第二ベベルギヤ３４との噛み合いによりネジロッド３５を連動させて回転させ、ネジロッド３５が回転してネジ山ブロック３６を前側へ移動させ、ネジ山ブロック３６が前側へ移動してキーボードチャンバ４１を推し動かして回転させ、推し動かしブロック３９がスライド溝４０でスライドする。
【００１５】
本発明の有益効果は：本発明のキーボード固定ホルダーが使用されない場合、キーボード固定ホルダーを折り畳むことができ、置く空間を節約し、またキーボード固定ホルダーに置かれたキーボードの角度を調整することができ、異なるサイズのキーボードに対応でき、普及の価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177603.tif 000003
【図２】
2020177603.tif 000004
【図３】
2020177603.tif 000005
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
左右対称の折り畳み板を含み、右側の前記折り畳み板の左側端面には左へ開口した折り畳みチャンバが設置され、前記折り畳みチャンバの上下内壁の間には折り畳みロッドが回転できるように装着され、前記折り畳みロッドと左側の前記折り畳み板とが固定的に連結され、キーボード固定ホルダーを使用しない時、左右の前記折り畳み板を折り畳むことができ、置く空間を節約し、前記折り畳み板の上方には移動ブロックが設置され、前記移動ブロックの中には回転溝が設置され、前記回転溝の中にはキーボード箱がスライドできるように装着され、前記キーボード箱の中にはキーボードチャンバが設置され、前記キーボードチャンバの中には圧しブロックチャンバが上下対称的に連通して設置され、前記圧しブロックチャンバの中には圧しブロックがスライドできるように装着され、前記圧しブロックと前記圧しブロックチャンバとの間には第一ばねが固定的に装着され、キーボードを左右の前記キーボードチャンバの間に置くことができ、前記圧しブロックを利用してキーボードを固定し、前記移動ブロックの中にはまたノートパソコンの両側端面に固定的に装着されることができる固定機構が設置され、前記キーボード箱の後側には前記キーボード箱の角度を調整できる調整機構が設置され、前記調整機構は前記キーボード箱の後側に設置されるネジ山チャンバを含み、前記ネジ山チャンバの後側には噛み合いチャンバが設置され、前記噛み合いチャンバの片側内壁にはつまみロッドが回転できるように装着され、前記つまみロッドには前記キーボード箱の角度を調整することに動力を提供できるつまみが固定的に装着されることを特徴とするキーボード固定ホルダー。
【請求項２】
前記固定機構はまた前記折り畳み板の頂部端面に設置される移動溝を含み、前記移動ブロックが前記移動溝とスライドできるように装着され、前記移動溝の下方にはスライドチャンバが連通して設置され、前記スライドチャンバの中にはスライドブロックがスライドできるように装着され、前記スライドブロックが前記移動ブロックと固定的に連結され、前記スライドブロックと前記スライドチャンバとの間には第二ばねが固定的に装着され、前記移動ブロックの中にはリミットチャンバが設置され、前記リミットチャンバの中にはリミットブロックがスライドできるように装着され、前記リミットブロックと前記リミットチャンバとの間には第三ばねが固定的に装着され、前記リミットブロックには前記移動ブロックを貫通しているリミットロッドが固定的に装着され、前記リミットロッドと前記移動ブロックとがスライドできるように装着され、前記リミットロッドには回転ブロックが回転できるように装着され、前記回転ブロックには貼り付けシートが固定的に装着され、キーボード固定ホルダーを使用する時、両側の前記貼り付けシートをノートパソコンの左右両側の端面に貼り付けることができ、キーボードを前記キーボードチャンバの中に置く時、前記移動ブロックが前記移動溝の中でスライドすることを通じて異なるサイズのキーボードに対応することができることを特徴とする請求項１に記載のキーボード固定ホルダー。
【請求項３】
前記調整機構はまた、前記回転溝の下方に連通して設置される回転チャンバを含み、前記回転チャンバの左右内壁の間には回転ロッドが回転できるように装着され、前記回転ロッドには連結ブロックが固定的に装着され、前記連結ブロックが前記キーボード箱と固定的に連結され、前記つまみロッドには第一ベベルギヤが固定的に装着され、前記噛み合いチャンバと前記ネジ山チャンバとの間にはネジロッドが回転できるように装着され、前記ネジロッドの後側端面には第二ベベルギヤが固定的に装着され、前記第二ベベルギヤが前記第一ベベルギヤと噛み合っており、前記ネジ山チャンバの中にはネジ山ブロックがスライドできるように装着され、前記ネジ山ブロックの中には後ろへ開口したネジ穴が設置され、前記ネジ穴が前記ネジロッドとネジ山により装着され、前記キーボード箱の底部端面には後ろへ開口した推し動かし溝が設置され、前記推し動かし溝の中には推し動かしブロックがスライドできるように装着され、前記推し動かしブロックの後側端面には支持板が左右対称的に固定的に装着され、左右の前記支持板の間には支持ロッドが回転できるように装着され、前記支持ロッドが前記ネジ山ブロックと固定的に連結され、前記キーボード箱の角度を調整する時、手で前記つまみを回転させ、前記つまみが回転して前記つまみロッドを連動させて回転させ、前記つまみロッドが回転して前記第一ベベルギヤを連動させて回転させ、前記第一ベベルギヤが前記第二ベベルギヤとの噛み合いにより前記ネジロッドを連動させて回転させ、前記ネジロッドが回転して前記ネジ山ブロックを前側へ移動させ、前記ネジ山ブロックが前側へ移動して前記キーボードチャンバを推し動かして回転させ、前記推し動かしブロックが前記推し動かし溝でスライドすることを特徴とする請求項１に記載のキーボード固定ホルダー。
【手続補正２】
【補正対象書類名】明細書
【補正対象項目名】全文
【補正方法】変更
【補正の内容】
【発明の詳細な説明】
【技術分野】
【０００１】
本発明は固定ホルダー分野を取り上げて、具体的にはキーボード固定ホルダーである。
【背景技術】
【０００２】
一般的なキーボード固定ホルダーが折り畳まれることができないので、収納に所要の空間が大きく、しかも大きさが違うキーボードに対応できなく、そこでキーボードを換える時にキーボードホルダーを換える必要があり、浪費をもたらし、一般的なキーボード固定ホルダーがキーボードの角度を調整することができない。
【先行技術文献】
【特許文献】
【０００３】
【特許文献１】中国特許出願公開第１０２５５１３４８号明細書
【発明の概要】
【発明が解決しようとする課題】
【０００４】
本発明はキーボード固定ホルダーを提供し、従来技術における上記欠点を解消することを目的とする。
【課題を解決するための手段】
【０００５】
本発明のキーボード固定ホルダーは、左右対称の折り畳み板を含み、右側の前記折り畳み板の左側端面には左へ開口した折り畳みチャンバが設置され、前記折り畳みチャンバの上下内壁の間には折り畳みロッドが回転できるように装着され、前記折り畳みロッドと左側の前記折り畳み板とが固定的に連結され、キーボード固定ホルダーを使用しない時、左右の前記折り畳み板を折り畳むことができ、置く空間を節約し、前記折り畳み板の上方には移動ブロックが設置され、前記移動ブロックの中には回転溝が設置され、前記回転溝の中にはキーボード箱がスライドできるように装着され、前記キーボード箱の中にはキーボードチャンバが設置され、前記キーボードチャンバの中には圧しブロックチャンバが上下対称的に連通して設置され、前記圧しブロックチャンバの中には圧しブロックがスライドできるように装着され、前記圧しブロックと前記圧しブロックチャンバとの間には第一ばねが固定的に装着され、キーボードを左右の前記キーボードチャンバの間に置くことができ、前記圧しブロックを利用してキーボードを固定し、前記移動ブロックの中にはまたノートパソコンの両側端面に固定的に装着されることができる固定機構が設置され、前記キーボード箱の後側には前記キーボード箱の角度を調整できる調整機構が設置され、前記調整機構は前記キーボード箱の後側に設置されるネジ山チャンバを含み、前記ネジ山チャンバの後側には噛み合いチャンバが設置され、前記噛み合いチャンバの片側内壁にはつまみロッドが回転できるように装着され、前記つまみロッドには前記キーボード箱の角度を調整することに動力を提供できるつまみが固定的に装着される。
【０００６】
更の技術プランとしては、前記固定機構はまた前記折り畳み板の頂部端面に設置される移動溝を含み、前記移動ブロックが前記移動溝とスライドできるように装着され、前記移動溝の下方にはスライドチャンバが連通して設置され、前記スライドチャンバの中にはスライドブロックがスライドできるように装着され、前記スライドブロックが前記移動ブロックと固定的に連結され、前記スライドブロックと前記スライドチャンバとの間には第二ばねが固定的に装着され、前記移動ブロックの中にはリミットチャンバが設置され、前記リミットチャンバの中にはリミットブロックがスライドできるように装着され、前記リミットブロックと前記リミットチャンバとの間には第三ばねが固定的に装着され、前記リミットブロックには前記移動ブロックを貫通しているリミットロッドが固定的に装着され、前記リミットロッドと前記移動ブロックとがスライドできるように装着され、前記リミットロッドには回転ブロックが回転できるように装着され、前記回転ブロックには貼り付けシートが固定的に装着される。
【０００７】
更の技術プランとしては、前記調整機構はまた、前記回転溝の下方に連通して設置される回転チャンバを含み、前記回転チャンバの左右内壁の間には回転ロッドが回転できるように装着され、前記回転ロッドには連結ブロックが固定的に装着され、前記連結ブロックが前記キーボード箱と固定的に連結され、前記つまみロッドには第一ベベルギヤが固定的に装着され、前記噛み合いチャンバと前記ネジ山チャンバとの間にはネジロッドが回転できるように装着され、前記ネジロッドの後側端面には第二ベベルギヤが固定的に装着され、前記第二ベベルギヤが前記第一ベベルギヤと噛み合っており、前記ネジ山チャンバの中にはネジ山ブロックがスライドできるように装着され、前記ネジ山ブロックの中には後ろへ開口したネジ穴が設置され、前記ネジ穴が前記ネジロッドとネジ山により装着され、前記キーボード箱の底部端面には後ろへ開口した推し動かし溝が設置され、前記推し動かし溝の中には推し動かしブロックがスライドできるように装着され、前記推し動かしブロックの後側端面には支持板が左右対称的に固定的に装着され、左右の前記支持板の間には支持ロッドが回転できるように装着され、前記支持ロッドが前記ネジ山ブロックと固定的に連結される。
【発明の効果】
【０００８】
本発明の有益効果は：本発明のキーボード固定ホルダーが使用されない場合、キーボード固定ホルダーを折り畳むことができ、置く空間を節約し、またキーボード固定ホルダーに置かれたキーボードの角度を調整することができ、異なるサイズのキーボードに対応でき、普及の価値がある。
【図面の簡単な説明】
【０００９】
【図１】図１は本発明の構成模式図
【図２】図２は図１の中のＡ−Ａ方向の断面構成模式図
【図３】図３は図１の中のＢ−Ｂ方向の断面構成模式図
【発明を実施するための形態】
【００１０】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１１】
図１〜３を参照し、本発明のキーボード固定ホルダーは、左右対称の折り畳み板４６を含み、右側の前記折り畳み板４６の左側端面には左へ開口した折り畳みチャンバ２８が設置され、前記折り畳みチャンバ２８の上下内壁の間には折り畳みロッド２７が回転できるように装着され、前記折り畳みロッド２７と左側の前記折り畳み板４６とが固定的に連結され、キーボード固定ホルダーを使用しない時、左右の前記折り畳み板４６を折り畳むことができ、置く空間を節約し、前記折り畳み板４６の上方には移動ブロック１５が設置され、前記移動ブロック１５の中には回転溝４５が設置され、前記回転溝４５の中にはキーボード箱４２がスライドできるように装着され、前記キーボード箱４２の中にはキーボードチャンバ４１が設置され、前記キーボードチャンバ４１の中には圧しブロックチャンバ４４が上下対称的に連通して設置され、前記圧しブロックチャンバ４４の中には圧しブロック４３がスライドできるように装着され、前記圧しブロック４３と前記圧しブロックチャンバ４４との間には第一ばね１８が固定的に装着され、キーボードを左右の前記キーボードチャンバ４１の間に置くことができ、前記圧しブロック４３を利用してキーボードを固定し、前記移動ブロック１５の中にはまたノートパソコンの両側端面に固定的に装着されることができる固定機構７０が設置され、前記キーボード箱４２の後側には前記キーボード箱４２の角度を調整できる調整機構８０が設置され、前記調整機構８０は前記キーボード箱４２の後側に設置されるネジ山チャンバ３８を含み、前記ネジ山チャンバ３８の後側には噛み合いチャンバ３３が設置され、前記噛み合いチャンバ３３の片側内壁にはつまみロッド３１が回転できるように装着され、前記つまみロッド３１には前記キーボード箱４２の角度を調整することに動力を提供できるつまみ１９が固定的に装着される。
【００１２】
前記固定機構７０はまた前記折り畳み板４６の頂部端面に設置される移動溝２３を含み、前記移動ブロック１５が前記移動溝２３とスライドできるように装着され、前記移動溝２３の下方にはスライドチャンバ２５が連通して設置され、前記スライドチャンバ２５の中にはスライドブロック２６がスライドできるように装着され、前記スライドブロック２６が前記移動ブロック１５と固定的に連結され、前記スライドブロック２６と前記スライドチャンバ２５との間には第二ばね２４が固定的に装着され、前記移動ブロック１５の中にはリミットチャンバ１４が設置され、前記リミットチャンバ１４の中にはリミットブロック１７がスライドできるように装着され、前記リミットブロック１７と前記リミットチャンバ１４との間には第三ばね１６が固定的に装着され、前記リミットブロック１７には前記移動ブロック１５を貫通しているリミットロッド１３が固定的に装着され、前記リミットロッド１３と前記移動ブロック１５とがスライドできるように装着され、前記リミットロッド１３には回転ブロック１２が回転できるように装着され、前記回転ブロック１２には貼り付けシート１１が固定的に装着され、これによりキーボード固定ホルダーを使用する時、両側の貼り付けシート１１をノートパソコンの左右両側の端面に貼り付けることができ、キーボードをキーボードチャンバ４１の中に置く時、移動ブロック１５が移動溝２３の中でスライドすることを通じて異なるサイズのキーボードに対応することができる。
【００１３】
前記調整機構８０はまた、前記回転溝４５の下方に連通して設置される回転チャンバ２１を含み、前記回転チャンバ２１の左右内壁の間には回転ロッド２２が回転できるように装着され、前記回転ロッド２２には連結ブロック２０が固定的に装着され、前記連結ブロック２０が前記キーボード箱４２と固定的に連結され、前記つまみロッド３１には第一ベベルギヤ３２が固定的に装着され、前記噛み合いチャンバ３３と前記ネジ山チャンバ３８との間にはネジロッド３５が回転できるように装着され、前記ネジロッド３５の後側端面には第二ベベルギヤ３４が固定的に装着され、前記第二ベベルギヤ３４が前記第一ベベルギヤ３２と噛み合っており、前記ネジ山チャンバ３８の中にはネジ山ブロック３６がスライドできるように装着され、前記ネジ山ブロック３６の中には後ろへ開口したネジ穴３７が設置され、前記ネジ穴３７が前記ネジロッド３５とネジ山により装着され、前記キーボード箱４２の底部端面には後ろへ開口した推し動かし溝４０が設置され、前記推し動かし溝４０の中には推し動かしブロック３９がスライドできるように装着され、前記推し動かしブロック３９の後側端面には支持板３０が左右対称的に固定的に装着され、左右の前記支持板３０の間には支持ロッド２９が回転できるように装着され、前記支持ロッド２９が前記ネジ山ブロック３６と固定的に連結され、これによりキーボード箱４２の角度を調整する時、手でつまみ１９を回転させ、つまみ１９が回転してつまみロッド３１を連動させて回転させ、つまみロッド３１が回転して第一ベベルギヤ３２を連動させて回転させ、第一ベベルギヤ３２が第二ベベルギヤ３４との噛み合いによりネジロッド３５を連動させて回転させ、ネジロッド３５が回転してネジ山ブロック３６を前側へ移動させ、ネジ山ブロック３６が前側へ移動してキーボードチャンバ４１を推し動かして回転させ、推し動かしブロック３９が推し動かし溝４０でスライドする。
【００１４】
使用する時、キーボード固定ホルダーを使用しない時、左右の折り畳み板４６を折り畳むことができ、置く空間を節約し、キーボード固定ホルダーを使用する時、両側の貼り付けシート１１をノートパソコンの左右両側の端面に貼り付けることができ、キーボードを左右のキーボードチャンバ４１の間に置くことができ、圧しブロック４３を利用してキーボードを固定し、移動ブロック１５が移動溝２３の中でスライドすることを通じて異なるサイズのキーボードに対応することができ、キーボード箱４２の角度を調整する時、手でつまみ１９を回転させ、つまみ１９が回転してつまみロッド３１を連動させて回転させ、つまみロッド３１が回転して第一ベベルギヤ３２を連動させて回転させ、第一ベベルギヤ３２が第二ベベルギヤ３４との噛み合いによりネジロッド３５を連動させて回転させ、ネジロッド３５が回転してネジ山ブロック３６を前側へ移動させ、ネジ山ブロック３６が前側へ移動してキーボードチャンバ４１を推し動かして回転させ、推し動かしブロック３９が推し動かし溝４０でスライドする。
【００１５】
本発明の有益効果は：本発明のキーボード固定ホルダーが使用されない場合、キーボード固定ホルダーを折り畳むことができ、置く空間を節約し、またキーボード固定ホルダーに置かれたキーボードの角度を調整することができ、異なるサイズのキーボードに対応でき、普及の価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。